(57)【要約】【課題】  ベルトの短縮化や再利用化を図ることができ、経済的なベルトの取付構造を提供することを目的とする。【解決手段】  本発明は、衣服４に装着されるベルト１の取付構造であって、ベルト１は、バックル２を介して連結可能な２つのベルト本体部３，３’から構成され、各ベルト本体部３，３’の一端部には、それぞれベルト側係止部７，１４が設けられ、衣服４には衣服側係止部８，２２が設けられており、ベルト側係止部７，１４と衣服側係止部８，２２とは互いに係脱可能に設けられていることを特徴とする。【選択図】  図１
2007084976.tif 000002
【特許請求の範囲】
【請求項１】
衣服に装着されるベルトの取付構造であって、
前記ベルトは、バックルを介して連結可能な２つのベルト本体部から構成され、前記各ベルト本体部の一端部には、それぞれベルト側係止部が設けられ、前記衣服には衣服側係止部が設けられており、前記ベルト側係止部と前記衣服側係止部とは互いに係脱可能に設けられていることを特徴とするベルトの取付構造。
【請求項２】
前記ベルト側係止部には係止孔が設けられており、前記衣服側係止部には、前記係止孔に係止可能なように後方に屈曲したフック部が前記衣服の外側に設けられている請求項１に記載のベルトの取付構造。
【請求項３】
前記各ベルト本体部の一端部を覆うカバー部材を備えている請求項１又は２に記載のベルト取付構造。
【請求項４】
前記ベルト側係止部には係止孔が設けられており、前記衣服側係止部には、前記係止孔に係止可能なように後方に屈曲したフック部が前記衣服の内側に設けられており、前記衣服の前記衣服側係止部より前側の部分には、前記各ベルト本体部が挿通可能な挿通孔がそれぞれ形成されている請求項１に記載のベルトの取付構造。
【請求項５】
前記ベルト側係止部には、各ベルト本体部の内側に突出する雄側ホックが設けられており、前記衣服側係止部には、前記雄側ホックが係止可能な雌側ホックが前記衣服の外側に設けられている請求項１に記載のベルトの取付構造。
【請求項６】
前記ベルト側係止部には、前記各ベルト本体部の一端面を覆うように屈曲したカバー部が設けられており、該カバー部は前記雄側ホック部と一体に形成されている請求項５に記載のベルトの取付構造。
【発明の詳細な説明】
【技術分野】
【０００１】
本発明は、ズボンやスカート等の衣服の胴部或いは腰部に装着されるベルトの取付構造に関する。
【背景技術】
【０００２】
従来、ズボンやスカート等の衣服の胴部或いは腰部には、衣服がずり落ちないようにベルトが装着される。この種の従来のベルトは、革や布製或いは樹脂製の帯状のベルト本体部と、該ベルト本体部の一端部に連結されたバックルとから構成されており、ベルト部は、胴部や腰部の全周に巻き付け可能なように十分の長さを有している。
【０００３】
そして、胴部や腰部の回りに沿って衣服に所定間隔で縫着されたベルト通しに、前記ベルト部を挿通し、該ベルト部により前記胴部や腰部を全周に渡って巻き付け、前記ベルト部の両端部を前記バックルにより互いに連結し、ベルトを胴部や腰部回りに固定するようになっている（公知・公用の従来技術に基づき発明したため、本発明に関連する先行技術文献を出願人は知らない）。
【発明の開示】
【発明が解決しようとする課題】
【０００４】
しかしながら、上記した従来のベルトでは、体型の変化により胴回りや腰回りのサイズが大きくなると、ベルト本体部の長さが不足し、衣服の胴部や腰部をベルトで十分に巻き付けることができず、ベルトを胴部や腰部回りに固定することができなくなるといった問題があった。そして、このような場合には、ベルトが磨耗等しておらず、十分に使用可能な状態であるにも拘らず、ベルト部やベルト全体を交換しなければならないため、非常に不経済であった。
【０００５】
本発明は、上記した課題を解決すべくなされたものであり、ベルトの短縮化や再利用化を図ることができ、経済的なベルトの取付構造を提供することを目的とする。
【課題を解決するための手段】
【０００６】
上記目的を達成するため、本発明は、衣服に装着されるベルトの取付構造であって、前記ベルトは、バックルを介して連結可能な２つのベルト本体部から構成され、前記各ベルト本体部の一端部には、それぞれベルト側係止部が設けられ、前記衣服には衣服側係止部が設けられており、前記ベルト側係止部と前記衣服側係止部とは互いに係脱可能に設けられていることを特徴とする。
【０００７】
そして、前記ベルト側係止部には係止孔が設けられており、前記衣服側係止部には、前記係止孔に係止可能なように後方に屈曲したフック部が前記衣服の外側に設けられていてもよい。
【０００８】
また、前記各ベルト本体部の一端部を覆うカバー部材を備えていてもよい。
【０００９】
さらに、前記ベルト側係止部には係止孔が設けられており、前記衣服側係止部には、前記係止孔に係止可能なように後方に屈曲したフック部が前記衣服の内側に設けられており、前記衣服の前記衣服側係止部より前側の部分には、前記各ベルト本体部が挿通可能な挿通孔がそれぞれ形成されていてもよい。
【００１０】
さらにまた、前記ベルト側係止部には、各ベルト本体部の内側に突出する雄側ホックが設けられており、前記衣服側係止部には、前記雄側ホックが係止可能な雌側ホックが前記衣服の外側に設けられていてもよい。
【００１１】
さらに、前記ベルト側係止部には、前記各ベルト本体部の一端面を覆うように屈曲したカバー部が設けられており、該カバー部は前記雄側ホック部と一体に形成されていてもよい。
【発明の効果】
【００１２】
本発明のベルトの取付構造によれば、ベルト本体部の短縮化が図れ、また、例え、体型の変化により胴回りや腰回りのサイズが大きくなったとしても、ベルト本体部の長さが不足することがなく、さらに、ベルトの再利用化を図ることができるため、省資源化や経済性の向上を図ることが可能となる等、種々の優れた効果を得ることができる。
【発明を実施するための最良の形態】
【００１３】
以下、図面を参照しつつ、本発明の実施の形態について説明する。なお、以下の説明では、本発明をズボンに装着した場合について例示して説明する。
【００１４】
先ず、図１及び図２により、本発明の第１の実施の形態に係るベルトの取付構造について説明する。ここで、図１は、該実施の形態に係るベルトの取付構造を示す正面図、図２は該実施の形態に係るベルトの取付構造を示す断面図である。
【００１５】
本実施の形態に係るベルト１は、バックル２を介して連結可能な２つのベルト本体部３，３’から構成され、バックル２は、正面視右側のベルト本体部３の前端部に取り付けられている。
【００１６】
各ベルト本体部３，３’は、例えば、革製で帯状を成しており、ズボン４の胴部５の前側部分に所定間隔で縫着されたベルト通し６に挿通可能となっている。各ベルト本体部３，３’の後端部には、ベルト側係止部として、それぞれ、係止孔７が穿設されており、係止孔７は、１箇所又は２箇所以上設けられていてもよい。
【００１７】
一方、ズボン４の胴部５の外側には、衣服側係止部８が縫着されている。衣服側係止部８は、革や硬質塩化ビニル或いは金属等の素材から形成することができ、横長矩形状のベース板９にフック部１０（１０’）が突設されて構成されている。ベース板９は、例えば、５０ｍｍの長さと、３０ｍｍの高さと、２ｍｍの厚みを有している。また、フック部１０は、丸棒状部材を後方に屈曲させたＬ型を成し、例えば、２ｍｍの直径と、３ｍｍの突出高さを有しており、係止孔７に係止可能となっている。なお、フック部１０は、係止孔７の設置数に対応して形成され、１箇所又は２箇所以上設けられていてもよい。
【００１８】
さらに、ズボン４の胴部５の外側には、ベルト本体部３，３’の後端部（特に、後端面１１）を覆うようにカバー部材１２（１２’）が設けられている。カバー部材１２は、布や革等の素材により形成することができ、縫着の他、マジックテープ（登録商標）やファスナー等を使用してズボン４の胴部５に取り付けることができる。
【００１９】
なお、上記した実施の形態において、衣服側係止部８はズボン４の胴部５の外側に設けられているが、図３に示すように、ズボン４の胴部５の内側に設けられていてもよい。この場合、ズボン４の胴部５の衣服側係止部８より前側の部分には、各ベルト本体部３，３’が挿通可能な挿通孔１３がそれぞれ形成され、この挿通孔１３をベルト本体部３，３’が挿通する部分には、カバー部材を取り付けても、取り付けなくてもよい。
【００２０】
また、衣服側係止部８は、図４に示すように、ベース板１３の外側にフック部３２を突設し、ベース版３１をズボン４の内側に縫着すると共にフック部３２をズボン４に貫通させて構成させることもできる。
【００２１】
次に、図５により、本発明の第２の実施の形態に係るベルトの取付構造について説明する。ここで、図５は、該実施の形態に係るベルトの取付構造を示す断面図である。なお、以下の説明において、上記した第１の実施の形態と同様の構成については、説明の簡略化のため、図５中、図１及び図２と同一の符号を付し、その詳細な説明は省略する。
【００２２】
本実施の形態の場合、ベルト側係止部１４は、各ベルト本体部３（図５では、一方のベルト本体部３のみ図示している）の後端部１５に穿設された孔１６を貫通し、先端に球状部１７が突設された雄側ホック１８と、ベルト本体部３の後端部１５の外面を覆う平板部２０と、ベルト本体部３の後端面１１を覆うように平板部２０の後端から内側に屈曲して形成されたカバー部２１とが一体に形成されて構成されている。
【００２３】
一方、衣服側係止部２２は、雄側ホック１８の球状部１７が係止可能な凹部２３が形成された雌側ホック２４を備えており、雌側ホック２４はズボン４の胴部５の外側に縫着されるようになっている。
【００２４】
なお、雄側ホック１８と雌側ホック２４は、同数設置されていれば、１箇所又は２箇所以上に設けられていてもよい。
【００２５】
また、上記した各実施の形態では、本発明をズボンに使用した場合について説明したが、これは単なる例示に過ぎず、本発明は、スカート等、他の衣服に使用することもできる。
【００２６】
さらに、上記した衣服側係止部８やベルト側係止部１４及びカバー部材１２は、後付けしてもよいのは勿論のこと、最初から衣服に縫着してもよい。
【００２７】
さらに、衣服側係止部８のフック部１０，３２の形状は、上記したＬ型に限定されるものではなく、例えば、直線状を成していてもよく、また、内外方向に伸縮可能に形成させてもよい。
【００２８】
さらにまた、上記した実施の形態において説明したベルトやベルト係止部及び衣服側係止部の材質、形状、寸法は、単なる例示に過ぎず、各種変更が可能であることは言う迄もない。
【図面の簡単な説明】
【００２９】
【図１】本発明の第１の実施の形態に係るベルトの取付構造を示す正面図である。
【図２】本発明の第１の実施の形態に係るベルトの取付構造を示す断面図である。
【図３】本発明の第１の実施の形態に係るベルトの取付構造の別の例を示す断面図である。
【図４】本発明の第１の実施の形態に係るベルトの取付構造のさらに別の例を示す断面図である。
【図５】本発明の第２の実施の形態に係るベルトの取付構造を示す断面図である。
【符号の説明】
【００３０】
１          ベルト
２          バックル
３，３’    ベルト本体部
４          ズボン
７          係止孔
８          衣服側係止部
１０        フック部
１２        カバー部材
１３        挿通孔
１４        ベルト側係止部
１８        雄側ホック
２１        カバー部
２２        雌側ホック
３２        フック部
【図１】
2007084976.tif 000003
【図２】
2007084976.tif 000004
【図３】
2007084976.tif 000005
【図４】
2007084976.tif 000006
【図５】
2007084976.tif 000007